【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
ユーザによって携帯される認証情報格納装置と、前記ユーザを認証するユーザ認証機器とを含むユーザ認証システムであって、
前記認証情報格納装置は、
前記ユーザを認証するための認証方式に対応した前記ユーザ固有の情報であって前記ユーザから予め取得された認証情報を複数記憶する認証情報記憶手段と、
前記認証情報記憶手段に記憶された前記ユーザに関する前記認証情報のうち必要な認証情報を前記ユーザ認証機器に送信する認証情報送信手段とを備え、
前記ユーザ認証機器は、さらに、
前記ユーザから前記被認証情報を取得する被認証情報取得手段と、
前記認証情報格納装置から前記認証情報を受信する認証情報受信手段と、
前記認証情報受信手段によって受信された前記認証情報と、前記被認証情報取得手段によって取得された前記被認証情報とを照合する認証機器照合手段と、
前記認証機器照合手段による照合結果に基づいて、前記ユーザを認証する認証手段とを備える、ユーザ認証システム。
【請求項２】
前記認証情報格納装置は、さらに、
前記ユーザ認証機器に前記被認証情報の取得を要求する被認証情報取得要求を送信する被認証情報取得要求情報送信手段を備え、
前記ユーザ認証機器は、さらに、
前記認証情報格納装置から前記被認証情報取得要求を受信する被認証情報取得要求受信手段と、
前記被認証情報取得要求受信手段によって前記被認証情報取得要求を受信したことを条件に、前記被認証情報取得手段によって取得された前記被認証情報を前記認証情報格納装置に送信する被認証情報送信手段とを備え、
前記認証情報格納装置は、さらに、
前記ユーザ認証機器から前記被認証情報を受信する被認証情報受信手段と、
前記被認証情報受信手段によって受信された前記被認証情報に基づき、前記ユーザ認証機器を識別するユーザ認証機器識別手段と、
前記ユーザ認証機器識別手段によって識別された前記ユーザ認証機器の識別結果に応じた前記認証情報を、前記認証情報記憶手段から読出す認証情報読出手段とを備え、
前記認証情報送信手段は、前記認証情報読出手段によって読出された前記認証情報を送信する、請求項１に記載のユーザ認証システム。
【請求項３】
前記認証情報格納装置は、さらに、
前記ユーザ認証機器に前記被認証情報の取得を要求する被認証情報取得要求を送信する被認証情報取得要求情報送信手段を備え、
前記ユーザ認証機器は、さらに、
前記認証情報格納装置から前記被認証情報取得要求を受信する被認証情報取得要求受信手段と、
前記被認証情報取得要求受信手段によって前記被認証情報取得要求を受信したことを条件に、前記被認証情報取得手段によって取得された前記被認証情報を前記認証情報格納装置に送信する被認証情報送信手段とを備え、
前記認証情報格納装置は、さらに、
前記ユーザ認証機器から前記被認証情報を受信する被認証情報受信手段と、
前記被認証情報受信手段によって受信された前記被認証情報に基づき、前記ユーザ認証機器を識別するユーザ認証機器識別手段と、
前記ユーザ認証機器識別手段によって識別された前記ユーザ認証機器の識別結果に応じた前記認証方式を参照する認証方式参照手段と、
前記認証方式参照手段によって参照された前記認証方式に応じた前記認証情報を、前記認証情報記憶手段から読出す認証情報読出手段とを備え、
前記認証情報送信手段は、前記認証情報読出手段によって読出された前記認証情報を送信する、請求項１に記載のユーザ認証システム。
【請求項４】
前記認証情報格納装置は、さらに、
前記ユーザ認証機器に前記被認証情報の取得を要求する被認証情報取得要求を送信する被認証情報取得要求情報送信手段を備え、
前記ユーザ認証機器は、さらに、
前記認証情報格納装置から前記被認証情報取得要求を受信する被認証情報取得要求受信手段と、
前記被認証情報取得要求受信手段によって前記被認証情報取得要求を受信したことを条件に、前記被認証情報取得手段によって取得された前記被認証情報を前記認証情報格納装置に送信する被認証情報送信手段とを備え、
前記認証情報格納装置は、さらに、
前記ユーザ認証機器から前記被認証情報を受信する被認証情報受信手段と、
前記被認証情報受信手段によって受信された前記被認証情報に基づき、前記ユーザ認証機器を識別するユーザ認証機器識別手段と、
前記ユーザ認証機器識別手段によって識別された前記ユーザ認証機器の識別結果に応じた前記認証方式を参照する認証方式参照手段と、
前記認証方式参照手段によって参照された前記認証方式に応じた前記認証情報を、前記認証情報記憶手段から読出す認証情報読出手段と、
前記ユーザ認証機器で用いられる認証方式を、前記認証情報読出手段によって前記認証情報が読出された前記認証方式のうちのいずれかの認証方式に決定する認証方式決定手
段とを備え、
前記認証情報送信手段は、前記認証情報読出手段によって読出された前記認証情報のうち、前記認証方式決定手段によって決定された前記認証方式に応じた前記認証情報を送信する、請求項１に記載のユーザ認証システム。
【請求項５】
前記認証情報格納装置は、さらに、
前記認証方式参照手段によって参照された前記認証方式のうち、前記ユーザ認証機器で利用可能な認証方式を判別する判別手段を備え、
前記認証方式決定手段は、前記ユーザ認証機器で用いられる認証方式を、前記判別手段によって利用可能と判別された認証方式に決定する、請求項４に記載のユーザ認証システム。
【請求項６】
前記認証方式決定手段は、前記判別手段によって利用可能と判別された認証方式が複数あれば、前記ユーザ認証機器で用いられる認証方式を、前記判別手段によって利用可能と判別された複数の前記認証方式に決定する、請求項５に記載のユーザ認証システム。
【請求項７】
前記認証情報送信手段は、前記認証方式参照手段によって参照された前記認証方式を、前記認証情報とは分離して、さらに送信する、請求項３から請求項６までのいずれかに記載のユーザ認証システム。
【請求項８】
前記ユーザ認証機器は、
前記認証情報格納装置から受信した前記認証方式のうちのいずれかの認証方式の指定を受付ける認証方式指定受付手段と、
前記認証方式指定受付手段によって指定が受付けられた前記認証方式を前記認証情報格納装置に送信する認証方式送信手段とを備え、
前記認証情報格納装置は、
前記ユーザ認証機器から前記認証方式を受信する認証方式受信手段を備え、
前記認証情報送信手段は、前記認証方式受信手段によって受信された前記認証方式に応じた前記認証情報記憶手段に記憶された前記認証情報を送信する、請求項７に記載のユーザ認証システム。
【請求項９】
前記認証情報送信手段は、特定の属性と異なる属性の前記認証情報を送信する、請求項１から請求項８までのいずれかに記載のユーザ認証システム。
【請求項１０】
前記認証情報格納装置は、さらに、
前記認証情報記憶手段に記憶された前記認証情報を暗号化する認証情報暗号化手段を備え、
前記認証情報送信手段は、前記認証情報暗号化手段によって暗号化された前記認証情報を送信する、請求項１から請求項９までのいずれかに記載のユーザ認証システム。
【請求項１１】
ユーザによって携帯される認証情報格納装置と、前記ユーザを認証するユーザ認証機器とを含むユーザ認証システムであって、
前記認証情報格納装置は、
前記ユーザを認証するための認証方式に対応した前記ユーザ固有の情報であって前記ユーザから予め取得された認証情報を複数記憶する認証情報記憶手段と、
前記ユーザ認証機器に前記被認証情報の取得を要求する被認証情報取得要求を送信する被認証情報取得要求情報送信手段とを備え、
前記ユーザ認証機器は、
前記認証情報格納装置から前記被認証情報取得要求を受信する被認証情報取得要求受信手段と、
前記ユーザから前記被認証情報を取得する被認証情報取得手段と、
前記被認証情報取得要求受信手段によって前記被認証情報取得要求を受信したことを条件に、前記被認証情報取得手段によって取得された前記被認証情報を前記認証情報格納装置に送信する被認証情報送信手段とを備え、
前記認証情報格納装置は、さらに、
前記ユーザ認証機器から前記被認証情報を受信する被認証情報受信手段と、
前記被認証情報受信手段によって受信された前記被認証情報と、前記認証情報記憶手段に記憶された前記ユーザに関する前記認証情報とを照合する格納装置照合手段と、
前記格納装置照合手段による照合結果を前記ユーザ認証機器に送信する照合結果送信手段とを備え、
前記ユーザ認証機器は、さらに、
前記認証情報格納装置から前記照合結果を受信する照合結果受信手段と、
前記照合結果受信手段によって受信された前記照合結果に基づいて、前記ユーザを認証する認証手段とを備える、ユーザ認証システム。
【請求項１２】
前記認証情報格納装置は、さらに、
前記被認証情報受信手段によって受信された前記被認証情報に基づき、前記ユーザ認証機器を識別するユーザ認証機器識別手段と、
前記ユーザ認証機器識別手段によって識別された前記ユーザ認証機器の識別結果に応じた前記認証情報を、前記認証情報記憶手段から読出す認証情報読出手段とを備え、
前記格納装置照合手段は、前記被認証情報受信手段によって受信された前記被認証情報と、前記認証情報読出手段によって読出された前記認証情報とを照合する、請求項１１に記載のユーザ認証システム。
【請求項１３】
前記認証情報格納装置は、さらに、
前記被認証情報受信手段によって受信された前記被認証情報に基づき、前記ユーザ認証機器を識別するユーザ認証機器識別手段と、
前記ユーザ認証機器識別手段によって識別された前記ユーザ認証機器の識別結果に応じた前記認証方式を参照する認証方式参照手段と、
前記認証方式参照手段によって参照された前記認証方式に応じた前記認証情報を、前記認証情報記憶手段から読出す認証情報読出手段とを備え、
前記格納装置照合手段は、前記被認証情報受信手段によって受信された前記被認証情報と、前記認証情報読出手段によって読出された前記認証情報とを照合する、請求項１１に記載のユーザ認証システム。
【請求項１４】
前記認証方式は、前記ユーザの身体的特徴によって前記ユーザを認証する生体認証方式を含み、
前記ユーザ認証システムは、さらに、前記認証情報を取得する認証情報取得装置を含み、
前記認証情報取得装置は、
前記ユーザから前記認証情報を取得する認証情報取得手段と、
前記認証情報取得手段によって取得された前記認証情報を複数含む認証情報ファイルを前記認証情報格納装置に送信する認証情報ファイル送信手段とを備え、
前記認証情報格納装置は、さらに、
前記認証情報取得装置から前記認証情報ファイルを受信する認証情報ファイル受信手段と、
前記認証情報ファイル受信手段によって受信された前記認証情報ファイルに含まれる前記認証情報を抽出する認証情報抽出手段とを備え、
前記認証情報記憶手段は、前記認証情報抽出手段によって抽出された前記認証情報を記憶する、請求項１から請求項１３までのいずれかに記載のユーザ認証システム。
【請求項１５】
前記認証情報取得装置は、さらに、
前記認証情報取得手段によって取得された前記認証情報を暗号化する取得認証情報暗号化手段を備え、
前記認証情報ファイル送信手段は、前記取得認証情報暗号化手段によって暗号化された前記認証情報を複数含む前記認証情報ファイルを送信し、
前記認証情報格納装置は、さらに、
前記認証情報抽出手段によって抽出された暗号化された前記認証情報を復号する認証情報復号手段を備え、
前記認証情報記憶手段は、前記認証情報復号手段によって復号された前記認証情報を記憶する、請求項１４に記載のユーザ認証システム。
【請求項１６】
前記認証情報格納装置は、さらに、
前記認証情報ファイル受信手段によって受信された前記認証情報ファイルを記憶する認証情報ファイル記憶手段を備える、請求項１４に記載のユーザ認証システム。
【請求項１７】
前記認証情報抽出手段は、前記格納装置照合手段によって前記被認証情報と前記認証情報とが照合されるとき、または、前記認証情報送信手段によって前記認証情報が送信されるときに、前記認証情報ファイル記憶手段に記憶された前記認証情報ファイルに含まれる前記認証情報を抽出する、請求項１６に記載のユーザ認証システム。
【請求項１８】
前記認証情報抽出手段によって前記認証情報が抽出されるときに、前記認証情報を管理するための管理情報を生成する管理情報生成手段をさらに備え、
前記認証情報記憶手段は、前記管理情報生成手段によって生成された前記管理情報を、前記認証情報と対応付けて記憶する、請求項１４または請求項１６に記載のユーザ認証システム。
【請求項１９】
ユーザを認証するための認証方式に対応した前記ユーザ固有の情報であって前記ユーザから予め取得された認証情報を複数記憶する認証情報記憶部を備え前記ユーザによって携帯される認証情報格納装置と、前記ユーザを認証するユーザ認証機器とを含むユーザ認証システムで実行されるユーザ認証方法であって、
前記認証情報格納装置が、
前記認証情報記憶部に記憶された前記ユーザに関する前記認証情報のうち必要な認証情報を前記ユーザ認証機器に送信するステップを含み、
前記ユーザ認証機器が、さらに、
前記ユーザから前記被認証情報を取得するステップと、
前記認証情報格納装置から前記認証情報を受信するステップと、
受信された前記認証情報と、取得された前記被認証情報とを照合するステップと、
受信された前記認証情報と取得された前記被認証情報との照合結果に基づいて、前記ユーザを認証するステップとを含む、ユーザ認証方法。
【請求項２０】
ユーザを認証するための認証方式に対応した前記ユーザ固有の情報であって前記ユーザから予め取得された認証情報を複数記憶する認証情報記憶部を備え前記ユーザによって携帯される認証情報格納装置と、前記ユーザを認証するユーザ認証機器とを含むユーザ認証システムで実行されるユーザ認証方法であって、
前記認証情報格納装置が、
前記ユーザ認証機器に前記被認証情報の取得を要求する被認証情報取得要求を送信するステップを含み、
前記ユーザ認証機器が、
前記認証情報格納装置から前記被認証情報取得要求を受信するステップと、
前記ユーザから前記被認証情報を取得するステップと、
前記被認証情報取得要求を受信したことを条件に、取得された前記被認証情報を前記認証情報格納装置に送信するステップとを含み、
前記認証情報格納装置が、さらに、
前記ユーザ認証機器から前記被認証情報を受信するステップと、
受信された前記被認証情報と、前記認証情報記憶部に記憶された前記ユーザに関する前記認証情報とを照合するステップと、
照合結果を前記ユーザ認証機器に送信するステップとを含み、
前記ユーザ認証機器が、さらに、
前記認証情報格納装置から前記照合結果を受信するステップと、
受信された前記照合結果に基づいて、前記ユーザを認証するステップとを含む、ユーザ認証方法。
【請求項２１】
ユーザによって携帯される認証情報格納装置であって、
前記ユーザを認証するための認証方式に対応した前記ユーザ固有の情報であって前記ユーザから予め取得された認証情報を複数記憶する認証情報記憶手段と、
前記認証情報記憶手段に記憶された前記ユーザに関する前記認証情報のうち必要な認証情報を前記ユーザ認証機器に送信する認証情報送信手段とを備え、
前記ユーザ認証機器によって受信された前記認証情報および前記ユーザから取得された前記被認証情報が照合された照合結果に基づいて、前記ユーザ認証機器によって前記ユーザが認証される、認証情報格納装置。
【請求項２２】
ユーザによって携帯される認証情報格納装置であって、
前記ユーザを認証するための認証方式に対応した前記ユーザ固有の情報であって前記ユーザから予め取得された認証情報を複数記憶する認証情報記憶手段と、
前記ユーザを認証するユーザ認証機器に前記被認証情報の取得を要求する被認証情報取得要求を送信する被認証情報取得要求情報送信手段と、
前記ユーザ認証機器によって前記被認証情報取得要求が受信されたことを条件に送信されてきた前記ユーザ認証機器によって前記ユーザから取得された前記被認証情報を受信する被認証情報受信手段と、
前記被認証情報受信手段によって受信された前記被認証情報と、前記認証情報記憶手段に記憶された前記ユーザに関する前記認証情報とを照合する格納装置照合手段と、
前記格納装置照合手段による照合結果を前記ユーザ認証機器に送信する照合結果送信手段とを備え、
前記ユーザ認証機器によって受信された前記照合結果に基づいて、前記ユーザ認証機器によって前記ユーザが認証される、認証情報格納装置。
【請求項２３】
ユーザを認証するための認証方式に対応した前記ユーザ固有の情報であって前記ユーザから予め取得された認証情報を複数記憶する認証情報記憶部を備え前記ユーザによって携帯される認証情報格納装置で実行される認証情報格納プログラムであって、
前記認証情報記憶部に記憶された前記ユーザに関する前記認証情報のうち必要な認証情報を前記ユーザ認証機器に送信するステップを前記認証情報格納装置に実行させ、
前記ユーザ認証機器によって受信された前記認証情報および前記ユーザから取得された前記被認証情報が照合された照合結果に基づいて、前記ユーザ認証機器によって前記ユーザが認証される、認証情報格納プログラム。
【手続補正２】
【補正対象書類名】明細書
【補正対象項目名】００１７
【補正方法】変更
【補正の内容】
【００１７】
上述した課題を解決するために、この発明のある局面によれば、ユーザ認証システムは、ユーザによって携帯される認証情報格納装置と、ユーザを認証するユーザ認証機器とを含む。認証情報格納装置は、ユーザを認証するための認証方式に対応したユーザ固有の情報であってユーザから予め取得された認証情報を複数記憶する認証情報記憶部と、認証情報記憶部に記憶されたユーザに関する認証情報のうち必要な認証情報をユーザ認証機器に送信する認証情報送信部とを備える。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
ユーザ認証機器は、さらに、ユーザから被認証情報を取得する被認証情報取得部と、認証情報格納装置から認証情報を受信する認証情報受信部と、認証情報受信部によって受信された認証情報と被認証情報取得部によって取得された被認証情報とを照合する認証機器照合部と、認証機器照合部による照合結果に基づいて、ユーザを認証する認証部とを備える。
【手続補正６】
【補正対象書類名】明細書
【補正対象項目名】００２１
【補正方法】変更
【補正の内容】
【００２１】
この発明に従えば、認証情報格納装置によって、ユーザから予め取得された認証情報が複数記憶される。
【手続補正７】
【補正対象書類名】明細書
【補正対象項目名】００２２
【補正方法】変更
【補正の内容】
【００２２】
認証情報格納装置によって、記憶されたユーザに関する認証情報のうち必要な認証情報がユーザ認証機器に送信される。ユーザ認証機器によって、ユーザから被認証情報が取得され、認証情報格納装置から受信された認証情報と取得された被認証情報との照合結果に基づいて、ユーザが認証される。
【手続補正８】
【補正対象書類名】明細書
【補正対象項目名】００２３
【補正方法】変更
【補正の内容】
【００２３】
このため、認証情報格納装置で被認証情報の照合が行われない場合は、必要な認証情報のみがユーザ認証機器に送信され、不必要な認証情報は送信されない。その結果、やり取りされる認証情報やユーザ認証機器によって処理される認証情報を最小限とすることができるので、冗長な処理および通信の発生によるパフォーマンスの劣化を抑制することができ、通信および処理を効率化させることが可能なユーザ認証システムを提供できる。
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】変更
【補正の内容】
【００３３】
好ましくは、認証情報格納装置は、さらに、ユーザ認証機器に被認証情報の取得を要求する被認証情報取得要求を送信する被認証情報取得要求情報送信部を備える。ユーザ認証機器は、さらに、認証情報格納装置から被認証情報取得要求を受信する被認証情報取得要求受信部と、被認証情報取得要求受信部によって被認証情報取得要求を受信したことを条件に、被認証情報取得部によって取得された被認証情報を認証情報格納装置に送信する被認証情報送信部とを備える。認証情報格納装置は、さらに、ユーザ認証機器から被認証情報を受信する被認証情報受信部と、被認証情報受信部によって受信された被認証情報に基づき、ユーザ認証機器を識別するユーザ認証機器識別部と、ユーザ認証機器識別部によって識別されたユーザ認証機器の識別結果に応じた認証情報を、認証情報記憶部から読出す認証情報読出部とを備える。認証情報送信部は、認証情報読出部によって読出された認証情報を送信する。
【手続補正１７】
【補正対象書類名】明細書
【補正対象項目名】００３４
【補正方法】変更
【補正の内容】
【００３４】
この発明に従えば、認証情報格納装置によって、さらに、ユーザ認証機器に被認証情報の取得を要求する被認証情報取得要求が送信される。ユーザ認証機器によって、さらに、認証情報格納装置から被認証情報取得要求が受信され、被認証情報取得要求が受信されたことを条件に、取得された被認証情報が認証情報格納装置に送信される。認証情報格納装置によって、さらに、ユーザ認証機器から被認証情報が受信され、受信された被認証情報に基づき、ユーザ認証機器が識別され、識別されたユーザ認証機器の識別結果に応じた認証情報が、読出され、読出された認証情報がユーザ認証機器に送信される。
【手続補正１８】
【補正対象書類名】明細書
【補正対象項目名】００３６
【補正方法】変更
【補正の内容】
【００３６】
好ましくは、認証情報格納装置は、さらに、ユーザ認証機器に被認証情報の取得を要求する被認証情報取得要求を送信する被認証情報取得要求情報送信部を備える。ユーザ認証機器は、さらに、認証情報格納装置から被認証情報取得要求を受信する被認証情報取得要求受信部と、被認証情報取得要求受信部によって被認証情報取得要求を受信したことを条件に、被認証情報取得部によって取得された被認証情報を認証情報格納装置に送信する被認証情報送信部とを備える。認証情報格納装置は、さらに、ユーザ認証機器から被認証情報を受信する被認証情報受信部と、被認証情報受信部によって受信された被認証情報に基づき、ユーザ認証機器を識別するユーザ認証機器識別部と、ユーザ認証機器識別部によって識別されたユーザ認証機器の識別結果に応じた認証方式を参照する認証方式参照部と、認証方式参照部によって参照された認証方式に応じた認証情報を、認証情報記憶部から読出す認証情報読出部とを備える。認証情報送信部は、認証情報読出部によって読出された認証情報を送信する。
【手続補正１９】
【補正対象書類名】明細書
【補正対象項目名】００３７
【補正方法】変更
【補正の内容】
【００３７】
この発明に従えば、認証情報格納装置によって、さらに、ユーザ認証機器に被認証情報の取得を要求する被認証情報取得要求が送信される。ユーザ認証機器によって、さらに、認証情報格納装置から被認証情報取得要求が受信され、被認証情報取得要求が受信されたことを条件に、取得された被認証情報が認証情報格納装置に送信される。認証情報格納装置によって、さらに、ユーザ認証機器から被認証情報が受信され、受信された被認証情報に基づき、ユーザ認証機器が識別され、識別されたユーザ認証機器の識別結果に応じた認証方式が参照され、参照された認証方式に応じた認証情報が読出され、読出された認証情報がユーザ認証機器に送信される。
【手続補正２０】
【補正対象書類名】明細書
【補正対象項目名】００３９
【補正方法】変更
【補正の内容】
【００３９】
好ましくは、認証情報格納装置は、さらに、ユーザ認証機器に被認証情報の取得を要求する被認証情報取得要求を送信する被認証情報取得要求情報送信部を備える。ユーザ認証機器は、さらに、認証情報格納装置から被認証情報取得要求を受信する被認証情報取得要求受信部と、被認証情報取得要求受信部によって被認証情報取得要求を受信したことを条件に、被認証情報取得部によって取得された被認証情報を認証情報格納装置に送信する被認証情報送信部とを備える。認証情報格納装置は、さらに、ユーザ認証機器から被認証情報を受信する被認証情報受信部と、被認証情報受信部によって受信された被認証情報に基づき、ユーザ認証機器を識別するユーザ認証機器識別部と、ユーザ認証機器識別部によって識別されたユーザ認証機器の識別結果に応じた認証方式を参照する認証方式参照部と、認証方式参照部によって参照された認証方式に応じた認証情報を、認証情報記憶部から読出す認証情報読出部と、ユーザ認証機器で用いられる認証方式を、認証情報読出部によって認証情報が読出された認証方式のうちのいずれかの認証方式に決定する認証方式決定部とを備える。認証情報送信部は、認証情報読出部によって読出された認証情報のうち、認証方式決定部によって決定された認証方式に応じた認証情報を送信する。
【手続補正２１】
【補正対象書類名】明細書
【補正対象項目名】００４０
【補正方法】変更
【補正の内容】
【００４０】
この発明に従えば、認証情報格納装置によって、さらに、ユーザ認証機器に被認証情報の取得を要求する被認証情報取得要求が送信される。ユーザ認証機器によって、さらに、認証情報格納装置から被認証情報取得要求が受信され、被認証情報取得要求が受信されたことを条件に、取得された被認証情報が認証情報格納装置に送信される。認証情報格納装置によって、さらに、ユーザ認証機器から被認証情報が受信され、受信された被認証情報に基づき、ユーザ認証機器が識別され、識別されたユーザ認証機器の識別結果に応じた認証方式が参照され、参照された認証方式に応じた認証情報が読出され、ユーザ認証機器で用いられる認証方式が、認証情報が読出された認証方式のうちのいずれかの認証方式に決定され、読出された認証情報のうち、決定された認証方式に応じた認証情報がユーザ認証機器に送信される。
【手続補正２２】
【補正対象書類名】明細書
【補正対象項目名】００４２
【補正方法】変更
【補正の内容】
【００４２】
さらに好ましくは、認証情報格納装置は、さらに、認証方式参照部によって参照された認証方式のうち、ユーザ認証機器で利用可能な認証方式を判別する判別部を備える。認証方式決定部は、ユーザ認証機器で用いられる認証方式を、判別部によって利用可能と判別された認証方式に決定する。
【手続補正２３】
【補正対象書類名】明細書
【補正対象項目名】００５１
【補正方法】削除
【補正の内容】
【手続補正２４】
【補正対象書類名】明細書
【補正対象項目名】００５２
【補正方法】削除
【補正の内容】
【手続補正２５】
【補正対象書類名】明細書
【補正対象項目名】００５３
【補正方法】削除
【補正の内容】
【手続補正２６】
【補正対象書類名】明細書
【補正対象項目名】００５４
【補正方法】削除
【補正の内容】
【手続補正２７】
【補正対象書類名】明細書
【補正対象項目名】００５５
【補正方法】削除
【補正の内容】
【手続補正２８】
【補正対象書類名】明細書
【補正対象項目名】００５６
【補正方法】削除
【補正の内容】
【手続補正２９】
【補正対象書類名】明細書
【補正対象項目名】００５７
【補正方法】削除
【補正の内容】
【手続補正３０】
【補正対象書類名】明細書
【補正対象項目名】００５８
【補正方法】削除
【補正の内容】
【手続補正３１】
【補正対象書類名】明細書
【補正対象項目名】００６１
【補正方法】変更
【補正の内容】
【００６１】
この発明に従えば、認証情報格納装置によって、記憶された認証情報が暗号化され、暗号化された認証情報がユーザ認証機器に送信される。これにより、認証情報の送信時のセキュリティを向上させることができる。
この発明の他の局面によれば、ユーザ認証システムは、ユーザによって携帯される認証情報格納装置と、ユーザを認証するユーザ認証機器とを含む。認証情報格納装置は、ユーザを認証するための認証方式に対応したユーザ固有の情報であってユーザから予め取得された認証情報を複数記憶する認証情報記憶部と、ユーザ認証機器に被認証情報の取得を要求する被認証情報取得要求を送信する被認証情報取得要求情報送信部とを備える。
ユーザ認証機器は、認証情報格納装置から被認証情報取得要求を受信する被認証情報取得要求受信部と、ユーザから被認証情報を取得する被認証情報取得部と、被認証情報取得要求受信部によって被認証情報取得要求を受信したことを条件に、被認証情報取得部によって取得された被認証情報を認証情報格納装置に送信する被認証情報送信部とを備える。  認証情報格納装置は、さらに、ユーザ認証機器から被認証情報を受信する被認証情報受信部と、被認証情報受信部によって受信された被認証情報と、認証情報記憶部に記憶されたユーザに関する認証情報とを照合する格納装置照合部と、格納装置照合部による照合結果をユーザ認証機器に送信する照合結果送信部とを備える。
ユーザ認証機器は、さらに、認証情報格納装置から照合結果を受信する照合結果受信部と、照合結果受信部によって受信された照合結果に基づいて、ユーザを認証する認証部とを備える。
この発明に従えば、認証情報格納装置によって、ユーザから予め取得された認証情報が複数記憶され、被認証情報取得要求がユーザ認証機器に送信される。ユーザ認証機器によって、認証情報格納装置から被認証情報取得要求が受信され、ユーザから被認証情報が取得され、被認証情報取得要求を受信したことを条件に、取得された被認証情報が認証情報格納装置に送信される。
認証情報格納装置によって、ユーザ認証機器から被認証情報が受信され、受信された被認証情報と、記憶されたユーザに関する認証情報とが照合され、照合結果がユーザ認証機器に送信される。ユーザ認証機器によって、認証情報格納装置から受信された照合結果に基づいて、ユーザが認証される。
このため、認証情報格納装置で被認証情報の照合が行われる場合は、認証情報はユーザ認証機器に送信されず、不必要な認証情報は送信されない。その結果、やり取りされる認証情報やユーザ認証機器によって処理される認証情報を最小限とすることができるので、冗長な処理および通信の発生によるパフォーマンスの劣化を抑制することができ、通信および処理を効率化させることが可能なユーザ認証システムを提供できる。
また、認証情報格納装置によって必要な認証情報が決定され、その都度異なる種類の認証情報を決定することもできるので、ユーザ認証のセキュリティのレベルを向上させることが可能なユーザ認証システムを提供できる。
また、最小限の認証情報しかユーザ認証機器に送信されない。その結果、認証情報が外部に漏洩しにくくなるので、ユーザ固有の情報のプライバシー面に配慮することが可能なユーザ認証システムを提供することができる。
好ましくは、認証情報格納装置は、さらに、被認証情報受信部によって受信された被認証情報に基づき、ユーザ認証機器を識別するユーザ認証機器識別部と、ユーザ認証機器識別部によって識別されたユーザ認証機器の識別結果に応じた認証情報を、認証情報記憶部から読出す認証情報読出部とを備える。格納装置照合部は、被認証情報受信部によって受信された被認証情報と、認証情報読出部によって読出された認証情報とを照合する。
この発明に従えば、認証情報格納装置によって、受信された被認証情報に基づき、ユーザ認証機器が識別され、識別されたユーザ認証機器の識別結果に応じた認証情報が読出され、受信された被認証情報と読出された認証情報とが照合される。
好ましくは、認証情報格納装置は、さらに、被認証情報受信部によって受信された被認証情報に基づき、ユーザ認証機器を識別するユーザ認証機器識別部と、ユーザ認証機器識別部によって識別されたユーザ認証機器の識別結果に応じた認証方式を参照する認証方式参照部と、認証方式参照部によって参照された認証方式に応じた認証情報を、認証情報記憶部から読出す認証情報読出部とを備える。格納装置照合部は、被認証情報受信部によって受信された被認証情報と、認証情報読出部によって読出された認証情報とを照合する。
この発明に従えば、認証情報格納装置によって、受信された被認証情報に基づき、ユーザ認証機器が識別され、識別されたユーザ認証機器の識別結果に応じた認証方式が参照され、参照された認証方式に応じた認証情報が読出され、受信された被認証情報と読出された認証情報とが照合される。
好ましくは、認証方式は、ユーザの身体的特徴によってユーザを認証する生体認証方式を含む。ユーザ認証システムは、さらに、認証情報を取得する認証情報取得装置を含む。認証情報取得装置は、ユーザから認証情報を取得する認証情報取得部と、認証情報取得部によって取得された認証情報を複数含む認証情報ファイルを認証情報格納装置に送信する認証情報ファイル送信部とを備える。認証情報格納装置は、さらに、認証情報取得装置から認証情報ファイルを受信する認証情報ファイル受信部と、認証情報ファイル受信部によって受信された認証情報ファイルに含まれる認証情報を抽出する認証情報抽出部とを備える。認証情報記憶部は、認証情報抽出部によって抽出された認証情報を記憶する。
この発明に従えば、認証情報取得装置によって、ユーザから認証情報が取得され、取得された認証情報を複数含む認証情報ファイルが認証情報格納装置に送信される。認証情報格納装置によって、認証情報取得装置から認証情報ファイルが受信され、受信された認証情報ファイルに含まれる認証情報が抽出され、抽出された認証情報が記憶される。
これにより、ユーザの身体的特徴により認証を行なう生体認証方式において用いられる認証情報を認証情報取得装置により取得し、かかる認証情報を複数含む認証情報ファイルを認証情報格納装置内に格納することが可能になる。
好ましくは、認証情報取得装置は、さらに、認証情報取得部によって取得された認証情報を暗号化する取得認証情報暗号化部を備える。認証情報ファイル送信部は、取得認証情報暗号化部によって暗号化された認証情報を複数含む認証情報ファイルを送信する。認証情報格納装置は、さらに、認証情報抽出部によって抽出された暗号化された認証情報を復号する認証情報復号部を備える。認証情報記憶部は、認証情報復号部によって復号された認証情報を記憶する。
この発明に従えば、認証情報取得装置によって、取得された認証情報が暗号化され、暗号化された認証情報を複数含む認証情報ファイルが認証情報格納装置に送信される。認証情報格納装置によって、抽出された暗号化された認証情報が復号され、復号された認証情報が記憶される。これにより、認証情報ファイルの通信時のセキュリティを向上させることができる。
好ましくは、認証情報格納装置は、さらに、認証情報ファイル受信部によって受信された認証情報ファイルを記憶する認証情報ファイル記憶部を備える。
この発明に従えば、認証情報格納装置によって、受信された認証情報ファイルが記憶される。これにより、単一の認証情報ファイルを参照し、都度、認証に必要な処理を行なう方法をも実現できることでより多くの処理系に対応できる認証機能を提供可能である。
好ましくは、認証情報抽出部は、格納装置照合部によって被認証情報と認証情報とが照合されるとき、または、認証情報送信部によって認証情報が送信されるときに、認証情報ファイル記憶部に記憶された認証情報ファイルに含まれる認証情報を抽出する。
この発明に従えば、認証情報格納装置によって、被認証情報と認証情報とが照合されるとき、または、認証情報がユーザ認証機器に送信されるときに、記憶された認証情報ファイルに含まれる認証情報が抽出される。
好ましくは、認証情報抽出部によって認証情報が抽出されるときに、認証情報を管理するための管理情報を生成する管理情報生成部をさらに備える。認証情報記憶部は、管理情報生成部によって生成された管理情報を、認証情報と対応付けて記憶する。
この発明に従えば、認証情報格納装置によって、認証情報が抽出されるときに、認証情報を管理するための管理情報が生成され、生成された管理情報が認証情報と対応付けられて記憶される。これにより、認証情報の管理を容易に行なうことができるようになる。
【手続補正３２】
【補正対象書類名】明細書
【補正対象項目名】００６２
【補正方法】変更
【補正の内容】
【００６２】
この発明のさらに他の局面によれば、ユーザ認証方法は、ユーザを認証するための認証方式に対応したユーザ固有の情報であってユーザから予め取得された認証情報を複数記憶する認証情報記憶部を備えユーザによって携帯される認証情報格納装置と、ユーザを認証するユーザ認証機器とを含むユーザ認証システムで実行される方法である。
【手続補正３３】
【補正対象書類名】明細書
【補正対象項目名】００６３
【補正方法】変更
【補正の内容】
【００６３】
ユーザ認証方法は、認証情報格納装置が、認証情報記憶部に記憶されたユーザに関する認証情報のうち必要な認証情報をユーザ認証機器に送信するステップを含む。
【手続補正３４】
【補正対象書類名】明細書
【補正対象項目名】００６４
【補正方法】削除
【補正の内容】
【手続補正３５】
【補正対象書類名】明細書
【補正対象項目名】００６５
【補正方法】変更
【補正の内容】
【００６５】
ユーザ認証機器が、さらに、ユーザから被認証情報を取得するステップと、認証情報格納装置から認証情報を受信するステップと、受信された認証情報と、取得された被認証情報とを照合するステップと、受信された認証情報と取得された被認証情報との照合結果に基づいて、ユーザを認証するステップとを含む。
【手続補正３６】
【補正対象書類名】明細書
【補正対象項目名】００６６
【補正方法】変更
【補正の内容】
【００６６】
この発明に従えば、通信および処理を効率化させることが可能なユーザ認証方法を提供できる。また、ユーザ認証のセキュリティのレベルを向上させることが可能なユーザ認証方法を提供できる。また、ユーザ固有の情報のプライバシー面に配慮することが可能なユーザ認証方法を提供できる。
この発明のさらに他の局面によれば、ユーザ認証方法は、ユーザを認証するための認証方式に対応したユーザ固有の情報であってユーザから予め取得された認証情報を複数記憶する認証情報記憶部を備えユーザによって携帯される認証情報格納装置と、ユーザを認証するユーザ認証機器とを含むユーザ認証システムで実行される方法である。
ユーザ認証方法は、認証情報格納装置が、ユーザ認証機器に被認証情報の取得を要求する被認証情報取得要求を送信するステップを含む。ユーザ認証機器が、認証情報格納装置から被認証情報取得要求を受信するステップと、ユーザから被認証情報を取得するステップと、被認証情報取得要求を受信したことを条件に、取得された被認証情報を認証情報格納装置に送信するステップとを含む。
認証情報格納装置が、さらに、ユーザ認証機器から被認証情報を受信するステップと、受信された被認証情報と、認証情報記憶部に記憶されたユーザに関する認証情報とを照合するステップと、照合結果をユーザ認証機器に送信するステップとを含む。
ユーザ認証機器が、さらに、この認証情報格納装置から照合結果を受信するステップと、受信された照合結果に基づいて、ユーザを認証するステップとを含む。
この発明に従えば、通信および処理を効率化させることが可能なユーザ認証方法を提供できる。また、ユーザ認証のセキュリティのレベルを向上させることが可能なユーザ認証方法を提供できる。また、ユーザ固有の情報のプライバシー面に配慮することが可能なユーザ認証方法を提供できる。
【手続補正３７】
【補正対象書類名】明細書
【補正対象項目名】００６７
【補正方法】変更
【補正の内容】
【００６７】
この発明のさらに他の局面によれば、認証情報格納装置は、ユーザによって携帯される。認証情報格納装置は、認証情報記憶部と、認証情報送信部とを備える。
【手続補正３８】
【補正対象書類名】明細書
【補正対象項目名】００６８
【補正方法】変更
【補正の内容】
【００６８】
認証情報記憶部は、ユーザを認証するための認証方式に対応したユーザ固有の情報であってユーザから予め取得された認証情報を複数記憶する。
【手続補正３９】
【補正対象書類名】明細書
【補正対象項目名】００６９
【補正方法】削除
【補正の内容】
【手続補正４０】
【補正対象書類名】明細書
【補正対象項目名】００７０
【補正方法】変更
【補正の内容】
【００７０】
認証情報送信部は、認証情報記憶部に記憶されたユーザに関する認証情報のうち必要な認証情報をユーザ認証機器に送信する。
【手続補正４１】
【補正対象書類名】明細書
【補正対象項目名】００７１
【補正方法】変更
【補正の内容】
【００７１】
ユーザ認証機器によって受信された認証情報およびユーザから取得された被認証情報が照合された照合結果に基づいて、ユーザ認証機器によってユーザが認証される。
【手続補正４２】
【補正対象書類名】明細書
【補正対象項目名】００７２
【補正方法】変更
【補正の内容】
【００７２】
この発明に従えば、通信および処理を効率化させることが可能な認証情報格納装置を提供できる。また、ユーザ認証のセキュリティのレベルを向上させることが可能な認証情報格納装置を提供できる。また、ユーザ固有の情報のプライバシー面に配慮することが可能な認証情報格納装置を提供できる。
この発明のさらに他の局面によれば、認証情報格納装置は、ユーザによって携帯される。認証情報格納装置は、認証情報記憶部と、被認証情報取得要求情報送信部と、被認証情報受信部と、格納装置照合部と、照合結果送信部とを備える。
認証情報記憶部は、ユーザを認証するための認証方式に対応したユーザ固有の情報であってユーザから予め取得された認証情報を複数記憶する。被認証情報取得要求情報送信部は、ユーザを認証するユーザ認証機器に被認証情報の取得を要求する被認証情報取得要求を送信する。
被認証情報受信部は、ユーザ認証機器によって被認証情報取得要求が受信されたことを条件に送信されてきたユーザ認証機器によってユーザから取得された被認証情報を受信する。格納装置照合部は、被認証情報受信部によって受信された被認証情報と、認証情報記憶部に記憶されたユーザに関する認証情報とを照合する。照合結果送信部は、格納装置照合部による照合結果をユーザ認証機器に送信する。
ユーザ認証機器によって受信された照合結果に基づいて、ユーザ認証機器によってユーザが認証される。
この発明に従えば、通信および処理を効率化させることが可能な認証情報格納装置を提供できる。また、ユーザ認証のセキュリティのレベルを向上させることが可能な認証情報格納装置を提供できる。また、ユーザ固有の情報のプライバシー面に配慮することが可能な認証情報格納装置を提供できる。
【手続補正４３】
【補正対象書類名】明細書
【補正対象項目名】００７４
【補正方法】変更
【補正の内容】
【００７４】
認証情報格納プログラムは、認証情報記憶部に記憶されたユーザに関する認証情報のうち必要な認証情報をユーザ認証機器に送信するステップを認証情報格納装置に実行させる。
【手続補正４４】
【補正対象書類名】明細書
【補正対象項目名】００７５
【補正方法】変更
【補正の内容】
【００７５】
ユーザ認証機器によって受信された認証情報およびユーザから取得された被認証情報が照合された照合結果に基づいて、ユーザ認証機器によってユーザが認証される。